【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
印刷版原版であって、
第１のバインダー、モノマー、及び光開始剤を含む光重合性層；
赤外線によりアブレーションが可能であり非赤外の化学線に対して不透明である赤外線アブレーション層であって、
（ｉ）少なくとも１種の赤外線吸収性材料と、
（ｉｉ）放射に不透明な材料であって、（ｉ）と（ｉｉ）は同じでも異なっていてもよい材料と、
（ｉｉｉ）少なくとも１種の第２のバインダーと、
を含む赤外線アブレーション層；並びに
前記光重合性層と前記赤外線アブレーション層との間に配置されており複数のフィーチャを含むパターン層であって、各フィーチャが５〜７５０平方ミクロンの面積を有し化学線に対して不透明かつ赤外線に対して透明であるインクから構成される、パターン層；
を含む印刷版原版。
【請求項２】
前記パターン層が、支持体と反対側の前記光重合性層の表面上に印刷される、請求項１に記載の印刷版原版。
【請求項３】
前記赤外線アブレーション層が、前記印刷されたパターン層の上の前記光重合性層にコーティングされることによって設けられる、請求項２に記載の印刷版原版。
【請求項４】
前記パターン層が、前記光重合性層の表面と隣接する及び実質的に接触する前記赤外線アブレーション層の表面上に印刷される、請求項１に記載の印刷版原版。
【請求項５】
前記インクがシアンインクである、請求項１に記載の印刷版原版。
【請求項６】
前記インクがＵＶ吸収性材料を含む、請求項１に記載の印刷版原版。
【請求項７】
印刷版原版であって、
第１のバインダー、モノマー、及び光開始剤を含む光重合性層；
赤外線によりアブレーションが可能であり非赤外の化学線に対して不透明である赤外線アブレーション層であって、
（ｉ）少なくとも１種の赤外線吸収性材料と、
（ｉｉ）放射に不透明な材料であって、（ｉ）と（ｉｉ）は同じでも異なっていてもよい材料と、
（ｉｉｉ）少なくとも１種の第２のバインダーと、
を含む赤外線アブレーション層；
カバーシート；並びに
前記赤外線アブレーション層と前記カバーシートとの間に配置されており複数のフィーチャを含むパターン層であって、各フィーチャが５〜７５０平方ミクロンの面積を有し化学線に対して不透明かつ赤外線に対して透明であるインクから構成される、パターン層；
を含む印刷版原版。
【請求項８】
前記パターン層が前記カバーシートの表面上に印刷され、前記赤外線アブレーション層が前記印刷されたパターン層の上にコーティングされることによって形成されることでアセンブリが形成される、請求項７に記載の印刷版原版。
【請求項９】
前記アセンブリが赤外線への露光によってアブレーションされ、支持体と反対側の前記光重合性層の表面に積層されることによって設けられる、請求項８に記載の印刷版原版。
【請求項１０】
印刷版原版の製造方法であって、
ａ）第１のバインダーと、モノマーと、光開始剤とを含有する光重合性組成物を支持体上に塗布して光重合性層を形成すること；
ｂ）前記支持体と反対側の前記光重合性層の表面上にインクを印刷してパターン層を形成すること；
ｃ）印刷されたパターン層上の光重合性層の上に赤外アブレーション組成物を塗布することで赤外アブレーション層を形成することであって、前記赤外線アブレーション組成物が（ｉ）少なくとも１種の赤外線吸収性材料と、（ｉｉ）放射不透過性材料であって、（ｉ）と（ｉｉ）が同じであっても異なっていてもよい材料と、（ｉｉｉ）少なくとも１種の第２のバインダーとを含むこと；
を含む、印刷版原版の製造方法。
【手続補正２】
【補正対象書類名】明細書
【補正対象項目名】０１９２
【補正方法】変更
【補正の内容】
【０１９２】
【表４】
2018517939.tif 000001
本発明は以下の実施の態様を含むものである。
［１］印刷版原版であって、
第１のバインダー、モノマー、及び光開始剤を含む光重合性層；
赤外線によりアブレーションが可能であり非赤外の化学線に対して不透明である赤外線アブレーション層であって、
（ｉ）少なくとも１種の赤外線吸収性材料と、
（ｉｉ）放射に不透明な材料であって、（ｉ）と（ｉｉ）は同じでも異なっていてもよい材料と、
（ｉｉｉ）少なくとも１種の第２のバインダーと、を含む赤外線アブレーション層；並びに
前記光重合性層と前記赤外線アブレーション層との間に配置されており複数のフィーチャを含むパターン層であって、各フィーチャが５〜７５０平方ミクロンの面積を有し化学線に対して不透明かつ赤外線に対して透明であるインクから構成されている、パターン層；
を含む印刷版原版。
［２］前記パターン層が、支持体と反対側の前記光重合性層の表面上に印刷されている、［１］に記載の印刷版原版。
［３］前記赤外線アブレーション層が、前記印刷されたパターン層の上の前記光重合性層へのコーティングによって設けられている、［２］に記載の印刷版原版。
［４］前記パターン層が、前記光重合性層の表面と隣接して実質的に接触することになる前記赤外線アブレーション層の表面上に印刷されている、［１］に記載の印刷版原版。
［５］前記インクがシアンインクである、［１］に記載の印刷版原版。
［６］前記インクがＵＶ吸収性材料を含む、［１］に記載の印刷版原版。
［７］印刷版原版であって、
第１のバインダー、モノマー、及び光開始剤を含む光重合性層；
赤外線によりアブレーションが可能であり非赤外の化学線に対して不透明である赤外線アブレーション層であって、
（ｉ）少なくとも１種の赤外線吸収性材料と、
（ｉｉ）放射に不透明な材料であって、（ｉ）と（ｉｉ）は同じでも異なっていてもよい材料と、
（ｉｉｉ）少なくとも１種の第２のバインダーと、を含む赤外線アブレーション層；
カバーシート；並びに
前記赤外線アブレーション層と前記カバーシートとの間に配置されており複数のフィーチャを含むパターン層であって、各フィーチャが５〜７５０平方ミクロンの面積を有し化学線に対して不透明かつ赤外線に対して透明であるインクから構成されている、パターン層；
を含む印刷版原版。
［８］前記パターン層が前記カバーシートの表面上に印刷されていて、前記赤外線アブレーション層が前記印刷されたパターン層の上へのコーティングによって形成されることでアセンブリが形成されている、［７］に記載の印刷版原版。
［９］前記アセンブリが赤外線への露光によってアブレーションされていて、支持体と反対側の前記光重合性層の表面に積層されることによって設けられている、［８］に記載の印刷版原版。
［１０］前記赤外線アブレーション層が２．０超の透過光学濃度を有する、［１］に記載の印刷版原版。
［１１］印刷版原版の製造方法であって、
ａ）第１のバインダーと、モノマーと、光開始剤とを含有する光重合性組成物を支持体上に塗布して光重合性層を形成すること；
ｂ）前記支持体と反対側の前記光重合性層の表面上にインクを印刷してパターン層を形成すること；
ｃ）印刷されたパターン層上の光重合性層の上に、赤外線アブレーション層を形成する赤外アブレーション組成物を塗布することであって、前記赤外線アブレーション組成物が（ｉ）少なくとも１種の赤外線吸収性材料と、（ｉｉ）放射不透過性材料であって、（ｉ）と（ｉｉ）が同じであっても異なっていてもよい材料と、（ｉｉｉ）少なくとも１種の第２のバインダーとを含むこと；
を含む、印刷版原版の製造方法。
［１２］前記パターン層が複数のフィーチャを含み、各フィーチャが５〜７５０平方ミクロンの面積を有し、前記インクが化学線に対して不透明かつ赤外線に対して透明である、［１１］に記載の方法。
［１３］前記インクがシアンインクである、［１２］に記載の方法。
［１４］前記インクがＵＶ吸収性材料を含む、［１２］に記載の方法。
［１５］印刷版原版の製造方法であって、
ａ）仮支持体上に、赤外線アブレーション層を形成する赤外線感受性組成物を塗布すること；
ｂ）前記仮支持体と反対側の前記赤外線アブレーション層の表面上にインクで複数のフィーチャを印刷して表面上にパターン層を形成することであって、前記パターン層が複数のフィーチャを含み、各フィーチャが５〜７５０平方ミクロンの面積を有し、前記インクが化学線に対して不透明かつ赤外線に対して透明であることにより、デジタルカバーシートが形成されること；
ｃ）第１のバインダーと、モノマーと、光開始剤とを含有する光重合性組成物を塗布して、支持体と前記デジタルカバーシートとの間に光重合性層を形成することであって、前記パターン層が前記光重合性層と前記赤外線アブレーション層との間に配置されること；
を含む、印刷版原版の製造方法。
［１６］前記赤外線感受性組成物が、（ｉ）少なくとも１種の赤外線吸収性材料と、（ｉｉ）放射不透過性材料であって、（ｉ）と（ｉｉ）が同じであっても異なっていてもよい材料と、（ｉｉｉ）少なくとも１種の第２のバインダーと、を含有する、［１５］に記載の方法。
［１７］前記インクがシアンインクである、［１５］に記載の方法。
［１８］印刷版原版の製造方法であって、
ａ）カバーシートの表面上にインクで複数のフィーチャを印刷して表面上にパターン層を形成することであって、前記パターン層が複数のフィーチャを含み、各フィーチャが５〜７５０平方ミクロンの面積を有し、前記インクが化学線に対して不透明かつ赤外線に対して透明であること；
ａ）前記パターン層に赤外線感受性組成物を塗布して赤外線アブレーション層を形成すること；
ｂ）赤外線に露光して前記赤外線アブレーション層にアブレーションを生じさせること；
ｃ）第１のバインダーと、モノマーと、光開始剤とを含む光重合性層の表面であり前記光重合性層の支持体と反対側である表面に積層することであって、前記パターン層が前記赤外線アブレーション層と前記カバーシートとの間に配置されること；
を含む、印刷版原版の製造方法。
［１９］前記赤外線感受性組成物が、（ｉ）少なくとも１種の赤外線吸収性材料と、（ｉｉ）放射不透過性材料であって、（ｉ）と（ｉｉ）が同じであっても異なっていてもよい材料と、（ｉｉｉ）少なくとも１種の第２のバインダーと、を含有する、［１８］に記載の方法。
［２０］前記インクがシアンインクである、［１９］に記載の方法。